(57)【要約】【課題】  クリップを用いて配線をパネルに容易に固定でき且つ容易にクリップを取り外すことができる配線固定構造の提供。【解決手段】  配線固定構造１０は、配線３０の配索経路上に位置する貫通口２２と、貫通口２２に弾性変形して挿入され、パネル２０の背面に当接して抜け出しを防止する係止部４４を備えるクリップ４０と、を有している。そして、貫通口２２には、係止部４４を抜き出し自在とする延長開口２２ｂが配索経路と交差する方向に延設されている。また、貫通口２２の延長開口部２２ｂは、それぞれ、配索経路に対して略同一方向に延びている。また、配線３０は、配線３０の長手方向に向ける張力が作用させられた状態で配索されている。【選択図】  図５
2005124299.tif 000002
【特許請求の範囲】
【請求項１】
固定対象物に設けられ、配線の配索経路上に位置する貫通口と、
前記配線を保持する保持部と前記貫通口に挿入可能に弾性変形する係止部とを備える固定部材と、を有し、前記貫通口に挿入された前記係止部が前記固定対象物の背面に当接して前記固定部材の抜け出しが防止される配線の固定構造であって、
前記貫通口に、前記係止部を抜き出し自在とする延長開口を前記配索経路と交差する方向に延設したことを特徴とする配線の固定構造。
【請求項２】
前記貫通口を複数有し、該貫通口の各々の前記延長開口が、前記配索経路に対して略同一方向に延設されていることを特徴とする請求項１に記載の配線の固定構造。
【請求項３】
前記配線が、該配線の長手方向に向ける張力が作用させられた状態で配索されていることを特徴とする請求項１又は請求項２に記載の配線の固定構造。
【発明の詳細な説明】
【技術分野】
【０００１】
本発明は配線の固定構造に関するものであり、特に配線を固定する固定部材を固定対象物から容易に取り外すことができる配線の固定構造に関する。
【背景技術】
【０００２】
従来から、パネル等の固定対象物に配線を固定するための構造として、図６に示すような配線の固定構造１が知られている（例えば、特許文献１参照。）。
【０００３】
図６（ａ）に示したように、配線の固定構造１は、配線（図示せず）を保持すると共にパネル２に固定するクリップ４と、パネル２に設けられ前記配線の配索経路上に位置する貫通口２ａと、を有している。
【０００４】
クリップ４は、前記配線を取り付けて保持するための取付座６と、貫通口２ａに挿入される挿入部８と、を備えている。この挿入部８は、取付座６から略垂直に立設された基幹部８ａと、基幹部８ａの先端部分から相互に離反する方向に向けて設けられた一対のアーム８ｂ、８ｂと、を備えている。
【０００５】
図６（ｂ）に示したように、アーム８ｂは側面視略コ字状を呈し、これにより、アーム８ｂと基幹部８ａとの間に懐空間９が形成されている。また、アーム８ｂは、例えば樹脂等の弾性体から形成され、弾性を有する構成となっている。
【０００６】
アーム８ｂ、８ｂには、基端部８ｃから取付座６に向けて互いに拡開するように傾斜する傾斜面８ｄと、傾斜面８ｄから基幹部８ａ方向に向けて形成され取付座６と略対向する係止部８ｅと、係止部８ｅから取付座６に向けて突設する自由端部８ｆと、が設けられている。
【０００７】
このような構成を有する配線の固定構造１により配線を固定する場合、図６（ａ）の矢印Ｄ６で示したように、クリップ４を挿入部８から貫通口２ａに押入する。挿入部が貫通口２ａに押入されると、弾性を有するアーム８ｂが懐空間９側に撓みつつ挿入され、自由端部８ｆと貫通口２ａとが一致する位置でアーム８ｂが拡開する。そして、これにより係止部８ｅがパネル２の背面２ｂに係止され、クリップ４の抜け出しが防止できるようになっている。
【０００８】
この配線の固定構造１では、クリップ４の傾斜面８ｄを潤滑摩擦性の高い二硫化モリブデン（ＭｏＳ2）で形成し、これにより挿入時の押圧力を低減して配索作業性の向上を図っている。
【特許文献１】特開２００１−２４５４２７号公報（第２−３頁、図１）
【発明の開示】
【発明が解決しようとする課題】
【０００９】
しかしながら、配線の固定構造１によれば、傾斜面８ｄが高い潤滑摩擦性を有するため配索時の作業性の向上は図れるものの、クリップ４の取り外しは困難である、という問題があった。
【００１０】
すなわち、クリップ４は、係止部８ｅが背面２ｂに係止されて抜け出しが防止される構造となっているため容易に取り外すことができず、無理に抜き出せば挿入部８が破損してしまう虞があった。このように挿入部８が破損したクリップ４は再利用することができず、また、パネル２の背面２ｂ側に脱落した挿入部８を分別回収しなければならない、という問題も生じてしまう。
【００１１】
また、クリップ４の取り外しのための専用治具（図示せず）を用いて取り外す方法も考えられるが、別途の専用治具を用意する必要があり、取り外しの作業も容易ではなく作業工数が増大してしまう、という問題があった。
【００１２】
本発明は、このような課題を解決するためになされたものであり、固定部材を用いて配線を固定対象物に容易に固定することができ、且つ、前記固定部材を前記固定対象物から容易に取り外すことができる配線の固定構造の提供を目的としている。
【課題を解決するための手段】
【００１３】
前記課題を解決するため、請求項１に記載された発明は、固定対象物に設けられ、配線の配索経路上に位置する貫通口と、前記配線を保持する保持部と前記貫通口に挿入可能に弾性変形する係止部とを備える固定部材と、を有し、前記貫通口に挿入された前記係止部が前記固定対象物の背面に当接して前記固定部材の抜け出しが防止される配線の固定構造であって、前記貫通口に、前記係止部を抜き出し自在とする延長開口を前記配索経路と交差する方向に延設したことを特徴とする配線の固定構造である。
【００１４】
このように構成された請求項１に記載のものでは、固定対象物に設けられ、配線の配索経路上に位置する貫通口と、前記配線を保持する保持部と前記貫通口に挿入可能に弾性変形する係止部とを備える固定部材と、を有し、前記貫通口に挿入された前記係止部が前記固定対象物の背面に当接して前記固定部材の抜け出しが防止されるため、前記係止部を前記貫通口に挿入するだけで、容易に、前記固定部材を前記固定対象物に抜け出し不能に固定して前記配線を固定することができる。
【００１５】
そして、前記貫通口に、前記係止部を抜き出し自在とする延長開口を前記配索経路と交差する方向に延設したため、前記固定部材を回動させて前記係止部と前記延長開口とを一致させれば、容易に、前記固定部材を取り外すことができる。
【００１６】
従って、この配線の固定構造によれば、前記固定部材の取り外し作業工数を低減することができると共に、前記固定部材の破損を防止することができる。
【００１７】
また、請求項２に記載された発明は、前記貫通口を複数有し、該貫通口の各々の前記延長開口が、前記配索経路に対して略同一方向に延設されていることを特徴とする請求項１に記載の配線の固定構造である。
【００１８】
このように構成された請求項２に記載のものでは、前記配線を保持させたまま一の保持部材を取り外そうとすると、前記一の保持部材とこれと隣り合う保持部材との間の配線が湾曲し、これにより、前記隣り合う保持部材に回動力が作用する。
【００１９】
しかしながら、この配線の固定構造によれば、複数の延長開口の延設方向が配索経路に対して略同一方向であるため、前記隣り合う保持部材の係止部と前記延長開口とが一致し難い。
【００２０】
従って、この配線の固定構造は、隣り合う保持部材が抜け出し難く取り外し対象の保持部材のみを取り外し易いものであり、配線の一部変更や修理等の部分的な作業を容易にすることができ、保守管理における作業工数の削減を図ることができる。
【００２１】
また、請求項３に記載された発明は、前記配線が、該配線の長手方向に向ける張力が作用させられた状態で配索されていることを特徴とする請求項１又は請求項２に記載の配線の固定構造である。
【００２２】
このように構成された請求項３に記載のものでは、前記配線が、該配線の長手方向に向ける張力が作用させられた状態で配索されているため前記固定部材が回動し難く、振動等が発生する固定対象物であっても前記固定部材が抜け出すことがない。
【発明の効果】
【００２３】
請求項１に記載の配線の固定構造によれば、固定対象物に設けられ、配線の配索経路上に位置する貫通口と、前記配線を保持する保持部と前記貫通口に挿入可能に弾性変形する係止部とを備える固定部材と、を有し、前記貫通口に挿入された前記係止部が前記固定対象物の背面に当接して前記固定部材の抜け出しが防止されるため、前記係止部を前記貫通口に挿入するだけで、容易に、前記固定部材を前記固定対象物に抜け出し不能に固定して前記配線を固定することができる。
【００２４】
そして、前記貫通口に、前記係止部を抜き出し自在とする延長開口を前記配索経路と交差する方向に延設したため、前記固定部材を回動させて前記係止部と前記延長開口とを一致させれば、容易に、前記固定部材を取り外すことができる。
【００２５】
従って、この配線の固定構造によれば、前記固定部材の取り外し作業工数を低減することができると共に、前記固定部材の破損を防止することができる。
【００２６】
また、請求項２に記載された配線の固定構造によれば、前記配線を保持させたまま一の保持部材を取り外そうとすると、前記一の保持部材とこれと隣り合う保持部材との間の配線が湾曲し、これにより、前記隣り合う保持部材に回動力が作用する。
【００２７】
しかしながら、この配線の固定構造によれば、複数の延長開口の延設方向が配索経路に対して略同一方向であるため、前記隣り合う保持部材の係止部と前記延長開口との位置が一致し難い。
【００２８】
従って、この配線の固定構造では、隣り合う保持部材の抜け出しを防止して、取り外し対象の保持部材のみを取り外しやすく、配線の一部変更や修理等の部分的な作業を容易にすることができ、保守管理における作業工数の削減を図ることができる。
【００２９】
また、請求項３に記載された配線の固定構造によれば、前記配線が、該配線の長手方向に向ける張力が作用させられた状態で配索されているため前記固定部材が回動し難く、振動等が発生する固定対象物であっても前記固定部材が抜け出すことがない。
【発明を実施するための最良の形態】
【００３０】
本発明を実施するための形態を、実施例に基づいて説明する。本発明の配線の固定構造は、固定部材を用いて配線を固定対象物に容易に固定することができ、且つ、前記固定部材を前記固定対象物から容易に取り外すことができるものであり、これにより作業工数の低減を図ると共に、前記固定部材の破損を防止して再利用を可能とするものである。
【実施例】
【００３１】
まず、図１乃至図５を参照しつつ、本実施例の配線固定構造（配線の固定構造）１０の構成を説明する。
【００３２】
図１に示すように、配線固定構造１０は、固定対象物としてのパネル２０と、パネル２０の前面２６上に配索される配線としてのアンテナフィーダ３０と、アンテナフィーダ３０をパネル２０に固定する固定部材としてのクリップ部材４０、４０・・と、を有している。
【００３３】
パネル２０には、アンテナフィーダ３０の背面側空間まで貫通する複数の貫通口２２、２２・・が設けられている。
【００３４】
この貫通口２２、２２・・は、図２に示すように、アンテナフィーダ３０の配索経路Ｗ上に位置するように配設されている。
【００３５】
貫通口２２は、円形開口部２２ａと、円形開口部２２ａから延設する二つの延長開口部（延長開口）２２ｂ、２２ｂとを有している。
【００３６】
この二つの延長開口部２２ｂ、２２ｂは略長方形状を呈し、円形開口部２２ａから互いに離反する方向に延設されている。
【００３７】
また、延長開口部２２ｂは、アンテナフィーダ３０の配索経路Ｗと交差する方向に延設されている。ここで、アンテナフィーダ３０の配索経路Ｗと交差する方向とは、配索経路Ｗと直交する方向のみならず、配索経路Ｗに対し所定の角度をなす方向を意味する。本実施例の配線固定構造１０では、配索経路Ｗに対し、延長開口部２２ｂの延設方向が略４５°をなすように形成されている。
【００３８】
更に、配線固定構造１０では、複数の貫通口２２、２２・・の延長開口部２２ｂ、２２ｂ・・が、各々、配索経路Ｗに対して略同一方向に延びている。すなわち、複数の延長開口部２２ｂのそれぞれは、その延設方向が配索経路Ｗに対して略４５°をなすように形成されている。
【００３９】
また、クリップ部材４０は、このアンテナフィーダ３０を保持する保持部４２と、貫通口２２に挿入される係止部４４と、保持部４２と係止部４４との間に設けられたフランジ部４６と、を備えている。
【００４０】
保持部４２は、図３に示すように、中空の筒形状を呈し、これによりアンテナフィーダ３０を保持することができるようになっている。
【００４１】
また、係止部４４は、フランジ部４６の中央部分からクリップ部材４０の挿入方向（すなわち、矢印Ｄ１方向）に延びる柱状の基幹部４４ａと、この基幹部４４ａの先端部分に設けられた一対のアーム４４ｂ、４４ｂと、を備えている。
【００４２】
一対のアーム４４ｂ、４４ｂは、相互に離反する方向に向けて突設され、側面視略Ｕ字状を呈している。また、アーム４４ｂは、その先端部４４ｃに向けて拡開するように延びており、これにより傾斜面４４ｄが形成されている。更に、アーム４４ｂと基幹部４４ａとの間には懐空間Ｓが形成されている。
【００４３】
また、アーム４４ｂは、例えば樹脂等の弾性体から形成されて弾性を有し、懐空間Ｓにより基幹部４４ａ側に向けて弾性変形可能となっている。
【００４４】
アーム４４ｂの先端部４４ｃは、フランジ部４６と対向する係止面４４ｅと、フランジ部４６方向に突出する突起部４４ｆと、を有し、これにより、側面視略Ｌ字状に形成されている。
【００４５】
アーム４４ｂは、変形しなければ円形開口部２２ａを通過不能な大きさとなっており、貫通口２２に係止部４４を挿入するとアーム４４ｂが弾性変形しつつ進入する。そして、係止面４４ｅがパネル２０の背面２４側に位置するとアーム４４ｂが復元し、これにより、係止面４４ｅと背面２４とが当接して係止されるようになっている。
【００４６】
他方、図４に示すように、延長開口部２２ｂは、アーム４４ｂが非変形で通り抜け可能な大きさに形成されている。このため、配線固定構造１０では、アーム４４ｂと延長開口部２２ｂとを一致させることにより、貫通口２２に挿入された係止部４４を自在に抜き出しできるようになっている。
【００４７】
フランジ部４６は、樹脂等から形成されて弾性を有している。更に、フランジ部４６は、基幹部４４ａから径方向に延びると共に、基端部４６ａから自由端部４６ｂに向けてやや係止部４４側に傾斜する構成となっている。これにより、フランジ部４６は、係止面４４ｅと背面２４とが当接したときに、パネル２０の前面２６に付勢力を作用させるようになっている。
【００４８】
また、アンテナフィーダ３０は可撓性を有し、例えば、図示しない金属線と該金属線の周囲を覆う絶縁部材とから形成されている。
【００４９】
更に、アンテナフィーダ３０は、アンテナフィーダ３０の長手方向（すなわち図１中、矢印Ｄ２の双方向）に向ける張力が作用させられた状態で配索されている。
【００５０】
次に、アンテナフィーダ３０の固定方法、及び取り外し方法に沿って、配線固定構造１０が奏する作用について説明する。
【００５１】
まず、クリップ部材４０をパネル２０に固定する場合には、図３に示したように、アンテナフィーダ３０を保持したクリップ部材４０の係止部４４を、貫通口２２に挿入する。このとき、アーム４４ｂは弾性変形可能に構成されているため、傾斜面４４ｄと円形開口部２２ａと摺動しつつ、係止部４４が挿入される。
【００５２】
このように挿入された係止部４４は、係止面４４ｅがパネル２０の背面２４側に位置すると、アーム４４ｂが弾性力により元の形状に復元する。これにより、係止面４４ｅと背面２４とが当接し、クリップ部材４０がパネル２０に係止される。
【００５３】
従って、配線固定構造１０では、係止部４４を貫通口２２に挿入するだけで、クリップ部材４０を抜け出し不能に固定させることができ、容易にアンテナフィーダ３０を固定することができる。
また、このとき、フランジ部４６が弾性を有しパネル２０の前面２６に付勢力を作用させるようになっているため、フランジ部４６と係止面４４ｅとでパネル２０を挟持することができる。このため、アンテナフィーダ３０の配索作業の途中であっても、クリップ部材４０は貫通口２２を回動中心として回動し難くなっており、アーム４４ｂと延長開口部２２ｂとの一致を防止することができる。
【００５４】
従って、配線固定構造１０では、アーム４４ｂと延長開口部２２ｂとの位置が一致し難く、配索作業中のクリップ部材４０の抜け出しを防止することができ、作業を容易にして作業工数の削減を図ることができる。
【００５５】
そして、このようにしてクリップ部材４０、４０・・をパネル２０に固定した後、アンテナフィーダ３０をその長手方向（すなわち図１中、矢印Ｄ２の双方向）に向けて引っ張った状態でその両端を固定する。すなわち、アンテナフィーダ３０を、その両端（矢印Ｄ２の双方向）に向ける張力を作用させた状態で配索する。
【００５６】
このように、アンテナフィーダ３０に、その両端に向ける張力が作用させられていれば、アンテナフィーダ３０が撓んで配索経路Ｗ上から外れにくくなる。このため、アンテナフィーダ３０が撓むことによる保持部４２への入力を低減することができる。すなわち、アンテナフィーダ３０が撓まなければ、クリップ部材４０が貫通口２２を回動中心として回動し難く、アーム４４ｂと延長開口部２２ｂとの位置が一致することを防止することができる。
【００５７】
従って、配線固定構造１０では、アーム４４ｂと延長開口部２２ｂとの位置が一致し難く、パネル２０やアンテナフィーダ３０に振動や衝撃が作用した場合であっても、クリップ部材４０のパネル２０からの抜け出しを防止することができる。このため、配線固定構造１０は、振動等が作用する車両等に好適である。
【００５８】
次に、このように固定したアンテナフィーダ３０を取り外す場合には、図１に示したように、貫通口２２を回動中心としてクリップ部材４０を矢印Ｄ３方向に回動させ、アーム４４ｂと延長開口部２２ｂとの位置を一致させる。
【００５９】
そして、図４及び図５に示したように、クリップ部材４０を抜け出し方向（すなわち矢印Ｄ４方向）に引っ張る。このようにすると、延長開口部２２ｂが、係止部４４のアーム４４ｂが抜き出し自在となるような大きさに形成されているため、係止面４４ｅを背面２４に当接させずにクリップ部材４０を容易に抜き出すことができる。
【００６０】
従って、配線固定構造１０によれば、特別の冶具を必要とせず、捻るだけで容易にクリップ部材４０を取り外すことができるため、クリップ部材４０の取り外し作業工数を低減することができる。しかも、クリップ部材４０の取り外しの際、係止部４４に力がほとんど作用しないため、係止部４４の破損が防止され、クリップ部材４０の再利用を図ることができる。
【００６１】
また、配線固定構造１０では、クリップ部材４０を捻って取り外すように構成されている。このため、アンテナフィーダ３０を保持させたまま一のクリップ部材４０を取り外そうとすると、アンテナフィーダ３０が、図２の二点鎖線で示したアンテナフィーダ１３０のように湾曲する。そして、湾曲したアンテナフィーダ１３０によって、一のクリップ部材４０と隣り合うクリップ部材４０に、回動力が作用する。
【００６２】
しかしながら、配線固定構造１０では、複数の延長開口部２２ｂ、２２ｂ・・の延設方向が配索経路Ｗに対して略同一方向であるため、前記隣り合うクリップ部材４０のアーム４４ｂと延長開口部２２ｂとの位置が一致し難い。すなわち、一のクリップ部材４０を回動させると、一方向に膨出するように湾曲したアンテナフィーダ１３０により、前記隣り合うクリップ部材４０には前記一のクリップ部材４０と逆回転の回動力が作用する。
【００６３】
従って、配線固定構造１０では、隣り合うクリップ部材４０の抜け出しが防止され、取り外し対象のクリップ部材４０のみを取り外しやすく、配線の一部変更や修理等の部分的な作業を容易にすることができ、保守管理における作業工数の削減を図ることができる。
【００６４】
以上、本発明の実施例を説明してきたが、具体的な構成はこの実施例に限らず、この発明の要旨を逸脱しない範囲の設計の変更があってもこの発明に含まれる。
【００６５】
例えば、延設開口部２２ｂの延設方向は、配索経路Ｗに対して４５°とは限らず、配索経路Ｗと交差する方向であれば、容易に抜け出さない範囲内で任意に選択することができる。
【図面の簡単な説明】
【００６６】
【図１】本発明の配線の固定構造を示す斜視図である。
【図２】本発明の配線の固定構造が有する貫通口の平面図である。
【図３】本発明の配線の固定構造における固定部材の挿入方法を説明する断面図である。
【図４】本発明の配線の固定構造における固定部材の取り外し方法を説明する断面図である。
【図５】本発明の配線の固定構造における固定部材の取り外し方法を説明する斜視図である。
【図６】（ａ）は従来の配線の固定構造の斜視図を、（ｂ）は従来の配線の固定構造の断面図を示したものである。
【符号の説明】
【００６７】
１０  配線固定構造（配線の固定構造）
２０  パネル（固定対象物）
２２  貫通口
２２ｂ  延長開口部（延長開口）
２４  背面（固定対象物の背面）
３０  アンテナフィーダ（配線）
４０  クリップ部材（固定部材）
４２  保持部
４４  係止部
Ｗ  配索経路
【図１】
2005124299.tif 000003
【図２】
2005124299.tif 000004
【図３】
2005124299.tif 000005
【図４】
2005124299.tif 000006
【図５】
2005124299.tif 000007
【図６】
2005124299.tif 000008